(57)【要約】【課題】排出されたプラスチック類を、排出される場所に近い場所で搬送と貯留に適した形態にすることができ、且つリサイクル工場への搬入前の段階で清浄な状態として、特に飲食に関連した用途に使用できるように処理することを可能にする。【解決手段】プラスチック類を破砕する破砕機１２２と、該破砕された破砕片を洗浄する超音波洗浄機１２６と、該洗浄された破砕片を脱水する脱水機１３０と、を備えて、該破砕機１２２、超音波洗浄機１２６、及び脱水機１３０が、２つの運搬車１９６の脱着可能な荷台１０２Ａ、１０２Ｂに分割されて据付られている。【選択図】図１
2011230371.tif 000002
【特許請求の範囲】
【請求項１】
プラスチック類を破砕する破砕機と、
該破砕された破砕片を洗浄する超音波洗浄機と、
該洗浄された破砕片を脱水する脱水機と、
を備えて、
該破砕機、超音波洗浄機、及び脱水機が、少なくとも２以上の移動手段の脱着可能な荷台に分割されて据付られている
ことを特徴とする積載式・移動式リサイクルプラント。
【請求項２】
請求項１において、
前記超音波洗浄機の前段に、更に、
前記破砕された破砕片を予備洗浄する洗浄手段を備える
ことを特徴とする積載式・移動式リサイクルプラント。
【請求項３】
請求項２において、
前記超音波洗浄機に、前記洗浄手段に供給される洗浄水と同質の水が供給される
ことを特徴とする積載式・移動式リサイクルプラント。
【請求項４】
請求項２において、
前記超音波洗浄機で排出される処理水が前記洗浄手段に供給される
ことを特徴とする積載式・移動式リサイクルプラント。
【請求項５】
請求項２乃至４のいずれかにおいて、更に、
前記脱水機の後段に、前記脱水された破砕片を分別する分別機を備える
ことを特徴とする積載式・移動式リサイクルプラント。
【請求項６】
請求項１乃至５のいずれかにおいて、
前記移動手段は、前記荷台を自身から取外して外部に配置し、且つ該配置された荷台を自身に取付ける脱着装置を備える
ことを特徴とする積載式・移動式リサイクルプラント。
【請求項７】
請求項１乃至６のいずれかにおいて、更に、
前記プラスチック類を処理する過程で排出される前記荷台毎の処理水を、該荷台毎に集積する脱着可能な分離槽を備える
ことを特徴とする積載式・移動式リサイクルプラント。
【請求項８】
請求項１乃至７のいずれかにおいて、更に、
前記プラスチック類を処理するための複数の処理装置の制御を１箇所で行う集中制御装置を備える
ことを特徴とする積載式・移動式リサイクルプラント。
【請求項９】
請求項１乃至８のいずれかにおいて、更に、
前記荷台に、独立して該荷台の上下方向の位置を変更可能とする複数の荷台調節手段が設けられている
ことを特徴とする積載式・移動式リサイクルプラント。
【発明の詳細な説明】
【技術分野】
【０００１】
本発明は、プラスチック類、特に飲食に関連したプラスチック類を破砕して再利用するのに好適な、積載式・移動式リサイクルプラントに関する。
【背景技術】
【０００２】
近年、資源の有効活用の観点から、廃棄物のリサイクルを推進していくことが重要な課題となってきている。特に、ペットボトルに代表されるプラスチック類は、日常の生活に欠かかせなくなっており、リサイクルの重要性が大きい。
【０００３】
ペットボトルのリサイクルには、例えば特許文献１に示すようなリサイクル設備が用いられる。このようなリサイクル設備（リサイクルプラントと称する）においては、つぶされたペットボトルが搬入後に破砕等処理されて、最終的にはフレーク形状で貯留されて、適時出荷される。そのフレーク形状への処理品は、用途に応じた形態に加工するリサイクル工場に原料として搬入されて、そこで再加工されてリサイクル（再生）されることとなる。ここで、リサイクルプラントは、通常ペットボトルが排出される場所から遠く離れた場所に建設されている。そのため、排出されたペットボトルは、各排出場所から収集され、収集後にその場所まで運搬されることとなる。
【先行技術文献】
【特許文献】
【０００４】
【特許文献１】特開２００２−２５４４３０号公報
【発明の概要】
【発明が解決しようとする課題】
【０００５】
しかしながら、ペットボトルに代表されるプラスチック類（そのほか、コンビニエンスストアなどで売られる弁当用のプラスチックケース等）は、軽くて、かさばる形態となっている。このため、この形態のまま（若しくはつぶした状態であっても）収集して、上述したリサイクルプラントに搬送することは大変効率の悪いものとなっていた。
【０００６】
又、プラスチック類を飲食に関連した用途に再生する場合には、衛生面から清浄である必要があり、プラスチック類のリサイクル過程において食品レベルに対応可能な洗浄工程の採用が求められていた。そして、特に飲食に関連した用途で利用していたプラスチック類は、元々、それほど汚れておらず、使用（排出）直後ならば、洗剤を使わずに（若しくは、微量のみ使用して）、清浄化が可能と考えられる。しかし、時間が経つにつれて、汚れがプラスチック類にこびりついて洗浄の負荷が激増する。つまり、汚れがこびりつくと水だけではますます落としにくくなる。このため、リサイクルコストの低減という観点からもできるだけ早く洗浄することが求められていた。
【０００７】
そこで、本発明は、前記問題点等を解決するべくなされたもので、排出されたプラスチック類を、排出される場所に近い場所で搬送と貯留に適した形態にすることができ、且つリサイクル工場への搬入前の段階で清浄な状態として、特に飲食に関連した用途に使用できるように処理することを可能にする積載式・移動式リサイクルプラントを提供することを課題とする。
【課題を解決するための手段】
【０００８】
本発明は、プラスチック類を破砕する破砕機と、該破砕された破砕片を洗浄する超音波洗浄機と、該洗浄された破砕片を脱水する脱水機と、を備えて、該破砕機、超音波洗浄機、及び脱水機が、少なくとも２以上の移動手段の脱着可能な荷台に分割されて据付られていることにより、前記課題を解決したものである。
【０００９】
本発明は、リサイクルプラントを移動可能としながらプラスチック類を破砕片にした段階で、超音波洗浄を行うものである。このため、本発明は通常の洗浄に比べてより破砕片を清浄にすることができる。すなわち、積載式・移動式リサイクルプラントにおける処理過程で超音波洗浄を行うことで、リサイクル工場への搬入前の段階で、食品レベルに対応可能な洗浄工程を確保することができる。
【００１０】
そして、本発明に必要なスペースは、移動手段のうちの荷台のみのスペースとすることができるので、省スペースを実現することができる。本発明は、必要となる処理装置の数に従い、必要な処理装置を搭載する荷台の数を増やすものであるが、移動手段と一体の荷台で本発明と同じスペースをその荷台で確保する場合と比較すれば、リサイクルプラントの規模が大きくなるほど、省スペースの効果が大きくなる。
【００１１】
同時に、必要な処理装置全てを１つの荷台に搭載せずに分割するので、荷台（移動手段）の大型化を回避して、積載式・移動式リサイクルプラントの移動と配置を容易とする。そのため、プラスチック類が排出される場所に近い場所で、各処理装置を最適に配置して積載式・移動式リサイクルプラントをコンパクトに構成することが可能である。同時に、プラスチック類の排出される場所に近い場所で処理することで、汚れのこびりつきの程度が少ない状態で洗浄などを行うことができる。このため、積載式・移動式リサイクルプラントで費やすエネルギを低減することができる。
【００１２】
更に、処理すべきプラスチック類に応じて、積載式・移動式リサイクルプラントのカスタマイズが容易である。
【００１３】
又、前記超音波洗浄機の前段に、更に、前記破砕された破砕片を予備洗浄する洗浄手段を備える場合には、超音波洗浄を行う前に破砕片が前もって洗浄されるので、大きな汚れが予め落とされることとなる。このため、超音波洗浄の段階で効率的に破砕片を洗浄することができる。
【００１４】
又、前記超音波洗浄機に、前記洗浄手段に供給される洗浄水と同質の水が供給される場合には、超音波洗浄は洗浄手段で発生する汚れの影響を受けずに行われることとなる。このため、超音波洗浄中に汚れの再付着の心配が少なく、破砕片を更に清浄な状態とすることができる。
【００１５】
又、前記超音波洗浄機で排出される処理水が前記洗浄手段に供給される場合には、超音波洗浄は洗浄手段で発生する汚れの影響を受けることなく、且つ超音波洗浄機で排出される処理水を有効利用して、節水することができる。
【００１６】
又、更に、前記脱水機の後段に、前記脱水された破砕片を分別する分別機を備える場合には、分別される全ての破砕片をまとめて超音波洗浄で清浄な状態としておくことができる。このため、異なる材質の破砕片を汚れの影響を少なくして高い精度で分別を行うことができる。
【００１７】
又、更に、前記移動手段が、前記荷台を自身から取外して外部に配置し、且つ該配置された荷台を自身に取付ける脱着装置を備える場合には、クレーンなどの脱着装置を別に用意する必要がないので、積載式・移動式リサイクルプラントの配置を狭い空間であっても行うことができる。
【００１８】
又、更に、前記プラスチック類を処理する過程で排出される前記荷台毎の処理水を、該荷台毎に集積する脱着可能な分離槽を備える場合には、処理水に含まれる固形物や油分は分離槽でまとめて除去することができ、且つ、分離槽が満杯となった際には空の分離槽と交換できる。このため、処理水の漏れを防止して土壌の汚染や悪臭の発生を最小限とすることができる。同時に、処理水のための配管が不要なので、積載式・移動式リサイクルプラントの構築を迅速に行うことができる。又、分離槽の設置場所を荷台とは別に設ける必要は無いので、積載式・移動式リサイクルプラントに必要なスペースを最小化することができる。
【００１９】
又、更に、前記プラスチック類を処理するための複数の処理装置の制御を１箇所で行う集中制御装置を備える場合には、各処理装置の制御を容易に行うことができる。
【００２０】
又、更に、前記荷台に、独立して該荷台の上下方向の位置を変更可能とする複数の荷台調節手段が設けられている場合には、荷台を配置した際の地面の凹凸形状を平らにするような作業をすることなく、場所を選ばず処理装置の水平設置を確保して迅速に、且つ安定して積載式・移動式リサイクルプラントの構築を行うことができる。
【発明の効果】
【００２１】
本発明によれば、排出されたプラスチック類を、排出される場所に近い場所で搬送と貯留に適した形態にすることができ、且つリサイクル工場への搬入前の段階で清浄な状態として、特に飲食に関連した用途に使用できるように処理することが可能となる。
【図面の簡単な説明】
【００２２】
【図１】本発明の第１実施形態に係る積載式・移動式リサイクルプラントの全体構成を示す模式図
【図２】同じく積載式・移動式リサイクルプラントの荷台と分離槽との関係を示す模式図
【図３】同じく積載した荷台を配置する際の動作を示す模式図
【図４】本発明の第２実施形態に係る積載式・移動式リサイクルプラントの全体構成を示す模式図
【図５】本発明の第３実施形態に係る積載式・移動式リサイクルプラントの荷台の構成を示す模式図
【発明を実施するための形態】
【００２３】
以下、図面を参照して、本発明の第１実施形態の一例を詳細に説明する。
【００２４】
図１は本実施形態に係る積載式・移動式リサイクルプラントの全体構成を示す模式図、図２は同じく積載式・移動式リサイクルプラントの荷台と分離槽との関係を示す模式図、図３は同じく積載した荷台を配置する際の動作を示す模式図、である。
【００２５】
積載式・移動式リサイクルプラント１００は、図１に示す如く、６つの荷台１０２Ａ〜１０２Ｆ上のプラスチック類を処理するための処理装置から構成されている。即ち、荷台１０２Ａには主に処理装置としてホッパ１２０と破砕機１２２とが、荷台１０２Ｂには主に処理装置として超音波洗浄機１２６と脱水機１３０とが、荷台１０２Ｃには主に処理装置としてエアセパレータ１３６と比重選別機１４２と脱水機１５２とが、荷台１０２Ｄには発電機１７６と集中制御装置１７８とが、荷台１０２Ｅには主に回収ボックス１７４Ａ〜１７４Ｄとが、荷台１０２Ｆには主に処理装置としてエアセパレータ１５８とが、それぞれ据付けられている。
【００２６】
積載式・移動式リサイクルプラント１００には、図１に示す如く、図示せぬ給水設備に給水管１１０が接続され、バルブ１１０Ａ〜１１０Ｅを介して、それぞれ破砕機１２２、超音波洗浄機１２６、脱水機１３０、比重選別機１４２、及び脱水機１５２に接続されている。バルブ１１０Ａ〜１１０Ｅの開閉により、各処理装置への洗浄水（若しくは水）の給水量を制御する。
【００２７】
荷台１０２Ａ〜１０２Ｆは、図２に示す如く、鳥居部１０４と床部１０６とを有する。
【００２８】
鳥居部１０４は、床部１０６に垂直に固定されており、後述する脱着装置１９８に設けられたフックが係合するフック受け１０４Ａを備えている。
【００２９】
床部１０６には、処理装置、発電機１７６、集中制御装置１７８、又は回収ボックス１７４Ａ〜１７４Ｅ（処理装置等と称する）が据付けられて固定される。そして、図２に示す如く、床部１０６の外周を囲んで塀部材（アオリと称する）１０８が設けられ（例えば５ｃｍ程度の高さで設けられている）、処理装置から床部１０６の表面に飛散する洗浄水や処理水等が外部に漏洩することを防止している。床部１０６の下面には複数の脚部１０６Ａ、１０６Ｂが設けられている。脚部１０６Ｂの先端にはころが設けられている。
【００３０】
床部１０６には図示せぬ排水孔が設けられている。排水孔は床部１０６の下方に設けられた分離槽１１６に接続されている。又、床部１０６上の各処理装置の排水管は、図示せぬ床部１０６上の排水路を介して、分離槽１１６に接続されている。
【００３１】
分離槽１１６（図１では、１１６Ａ、１１６Ｂ、１１６Ｃ）は、図２に示す如く、直方体の形状であり、処理水が発生する荷台１０２の床部１０６の下方に脱着可能にそれぞれ取付けられている。分離槽１１６は内部で複数の処理槽部（本実施形態では２つ１１７Ａ、１１７Ｂ）に分割されている。排水孔及び配水管から処理水が処理槽部１１７Ａに流入して集積されて所定の水量に達すると、次の処理槽部１１７Ｂに流入する仕組みとなっている。処理槽部１１７Ａ、１１７Ｂにはそれぞれ、液面の上面と接するように油分離マット１１９Ａ、１１９Ｂが配置されている。このため、分離槽１１６にて、沈殿物を分離すると共に、油分を油分離マット１１９Ａ、１１９Ｂで除去することが可能である。なお、油分離マット１１９Ａ、１１９Ｂは荷台１０２上面から、若しくは荷台１０２側面から挿入、交換される。分離槽１１６は、所定の処理水の量（満杯）になると、荷台１０２から取外されて空の分離槽と交換される。満杯の分離槽１１６の処理水は、廃材等を破砕する際に散水されて、破砕の際に生じる塵埃を防止するよう利用される。なお、分離槽１１６の交換は、荷台１０２上面から、若しくは荷台１０２側面から取外されて交換される。
【００３２】
又、荷台１０２は、図３に示す如く、脱着装置１９８を備える運搬車１９６（移動手段であり、トラックやトレーラなど）で実現することができる。運搬車１９６は、荷台搭載部１９６Ａ上に、脱着可能な荷台１０２を備える。荷台１０２を荷台搭載部１９６Ａから取外して外部に配置する際には、脱着装置１９８を作動させ脱着装置１９８に設けられたフックを荷台１０２の鳥居部１０４のフック受け１０４Ａに係合させる。そして、図３（Ｂ）に示す如く、脱着装置１９８により荷台１０２を荷台搭載部１９６Ａ上で水平方向に移動させると共に、鳥居部１０４側を上昇させる。そして、荷台１０２に設けられた鳥居部１０４の反対側の脚部１０６Ｂに設けられたころを外部の地面に接地させる。更に脱着装置１９８を動作させて荷台１０２を荷台搭載部１９６Ａから離して、脚部１０６Ｂのころで、荷台１０２を地面に対して水平方向に移動させる。そして、荷台１０２の脚部１０４Ａを外部の地面に接地させる。
【００３３】
このような荷台１０２の脱着工程により、荷台１０２を１つ１つ順番に隙間を狭く配置していくことで、荷台１０２の配置するスペースを少なくして、積載式・移動式リサイクルプラント１００をコンパクトに構築することができる。なお、積載式・移動式リサイクルプラント１００の構築に際しては、荷台１０２間の破砕片の搬送路は荷台１０２の鳥居部１０４を高さ方向で回避するように配置される、若しくは、鳥居部１０４が障害とならないように処理装置の配置が定められる（場合によっては、鳥居部１０４が脱着可能、若しくは鳥居部１０４を搬送路に障害の出ないような形状としておいてもよい）。なお、上記配置された荷台１０２を運搬車１９６に取付けるには、上述した工程の逆を行うことで、積載式・移動式リサイクルプラント１００の撤収を省スペースで行うことができる。
【００３４】
次に、処理されるプラスチック類がペットボトルであるとして、図１を用いて、本実施形態による積載式・移動式リサイクルプラント１００の動作の説明を、各処理装置の動作の説明と共に行う。なお、図１では、荷台１０２の鳥居部１０４の位置については図示していない。
【００３５】
ペットボトルは荷台１０２Ａ上のホッパ１２０に投入される。ペットボトルはホッパ１２０の下端からコンベア１２１上に導かれる。コンベア１２１（搬送路）に載せられたペットボトルは、破砕機１２２に搬送される。その際に、必要に応じてコンベア１２１上で、金属類などの異物の手選別が行われる（自動でもよい）。このため、破砕機１２２の異物（金属類など）による破損を防ぐことができる。そして、ペットボトルは荷台１０２Ａ上の破砕機１２２でフレーク状に破砕される。破砕機１２２は湿式の破砕機であり、バルブ１１０Ａから少量の給水を受けて、ペットボトルに散水される。これにより、ペットボトルがフレーク状に破砕されても、破砕粉が撒き散らされることがなく、且つ破砕機１２２のブレードの摩耗を低減することができる。なお、散水されてブレードによりペットボトルが破砕される際に、ペットボトル同士に摩擦が生じて、ペットボトルについた汚れが相応に落とされる。即ち破砕機１２２は予備洗浄手段としての機能も有する（相応の洗浄効果）。
【００３６】
フレーク形状化されたペットボトル（破砕片）はコンベア１２４により、荷台１０２Ｂ上の超音波洗浄機１２６へ運ばれる。
【００３７】
超音波洗浄機１２６には、バルブ１１０Ｂを介して洗浄水が供給される。即ち、超音波洗浄機１２６には、予備洗浄する洗浄手段としての破砕機１２２に供給される洗浄水と同質の汚れのない水が供給される。このときの洗浄水は、超音波洗浄機１２６の槽から減った洗浄水の量だけを追加する形態で供給がなされる。
【００３８】
超音波洗浄された破砕片はコンベア１２８で荷台１０２Ｂ上の脱水機１３０に搬送される。脱水機１３０にも洗浄機能が備えられており、バルブ１１０Ｃによって供給された洗浄水によって破砕片が濯がれる。濯がれた破砕片は脱水・乾燥される。
【００３９】
乾燥された破砕片は、エア搬送路１３２でブロア１３４により荷台１０２Ｃ上のエアセパレータ１３６（分別機）に搬送される。エアセパレータ１３６では、エア圧力が調整されて破砕片からペットボトルのフィルム部分等の軽い物を分別する。分別されたフィルム部分の破砕片は、エア搬送路１３８を介してブロア１４０によって回収ボックス１７４Ａに搬送される。
【００４０】
エアセパレータ１３６の下には比重選別機１４２（分別機）が配置されている。このため、エアセパレータ１３６で残った破砕片は自然落下して比重選別機１４２に投入される。比重選別機１４２は、湿式であり、破砕片の比重によって水中での浮遊状態の変化を利用して破砕片の分別を行う。なお、水はバルブ１１０Ｄから供給される。本実施形態のペットボトルにおいては、キャップ部分の比重が重く比重選別機１４２の底に溜まることとなる。このためキャップ部分の破砕片がスクリュ式のコンベア１４４によって取り出され、エア搬送路１４６を介してブロア１４８により回収ボックス１７４Ｂに搬送される。ここで、エアセパレータ１３６、比重選別機１４２で分別される全ての破砕片はまとめて超音波洗浄されている。このため、汚れによる分別精度の低下（比重の変化）が防止できるので、高い精度で安定して異なる材質の破砕片を分別することができる。
【００４１】
荷台１０２Ｃ上の比重選別機１４２に残った破砕片（分別された破砕片の一部）は、コンベア１５０で荷台１０２Ｃ上の脱水機１５２に搬送される。脱水機１５２は、洗浄機能も有しており（洗浄手段）、バルブ１１０Ｅから供給される洗浄水により濯ぎを行い、その後脱水・乾燥を行う。
【００４２】
乾燥された破砕片は、エア搬送路１５４を介してブロア１５６によって荷台１０２Ｆ上のエアセパレータ１５８に搬送される。エアセパレータ１５８では、フレーク形状の破砕片のうち、材質が混在している可能性の高い、極めて軽い状態のもの（フラワ形状）について分別するよう圧力が調整されている。そのためフラワ形状の破砕片のみが、エア搬送路１６０を介してブロア１６２により回収ボックス１７４Ｃに搬送される。
【００４３】
エアセパレータ１５８で残った破砕片は自然落下し、ブロア１６６によりエアセパレータ１５８の直下に設けられたエア搬送路１６８で荷台１０２Ｅ上の回収ボックス１７４Ｄに搬送される。
【００４４】
これらの処理装置は、荷台１０２Ｄ上の発電機１７６によって発電された電力の供給を受けている。又、これら全ての処理装置（バルブ１１０Ａ〜１１０Ｅ、発電機１７６を含む）は、同じく荷台１０２Ｄ上の集中制御装置１７８によって、一括して１箇所で制御される。なお、バルブ１１０Ａ〜１１０Ｅ、発電機１７６は、手動操作であってもよい。
【００４５】
このようにして、積載式・移動式リサイクルプラント１００は、リサイクルプラントを移動可能としながらプラスチック類を破砕片にした段階で、超音波洗浄を行うものである。このため、本発明は通常の洗浄に比べてより破砕片を清浄にすることができる。すなわち、積載式・移動式リサイクルプラント１００における処理過程で超音波洗浄を行うことで、リサイクル工場への原料としての搬入前の段階で、食品レベルに対応可能な洗浄工程を確保している。そのため、リサイクル工場での洗浄工程を簡略化することもできる。或いは、リサイクル工場でも十分な洗浄を行うことで、原料をより高い清浄さを必要とするグレードの用途に展開することが可能となる。
【００４６】
同時に、積載式・移動式リサイクルプラント１００に必要なスペースは、ほぼ運搬車１９６（移動手段）のうちの荷台１０２Ａ〜１０２Ｆのみのスペースとすることができるので、省スペースを実現することができる。積載式・移動式リサイクルプラント１００は、必要となる処理装置の数に従い、必要な処理装置を搭載する荷台１０２の数を増やすものであるが、移動手段と一体の荷台で積載式・移動式リサイクルプラント１００と同じスペースをその荷台で確保する場合と比較すれば、リサイクルプラントの規模が大きくなるほど、省スペースの効果を大きくすることができる。
【００４７】
又、必要な処理装置全てを１つの荷台に搭載せずに分割するので、荷台１０２（運搬車１９６）の大型化を回避できる。このため、大型の運搬車では移動できない道路や場所などが通過できることなどにより、積載式・移動式リサイクルプラント１００の移動と配置を容易としている。即ち、プラスチック類が排出される場所により近い場所で、各処理装置を最適に配置して積載式・移動式リサイクルプラント１００をコンパクトに構成することが可能である。
【００４８】
同時に、プラスチック類の排出される場所に近い場所に積載式・移動式リサイクルプラント１００を構築して処理することで、汚れのこびりつきの程度が少ない早い段階で洗浄などを行うことができる。このため、積載式・移動式リサイクルプラント１００で費やすエネルギを低減することができる。
【００４９】
更に、処理すべきプラスチック類や、要求される処理レベルに応じて、荷台１０２の組合せで処理装置を簡単に変えることが可能であり、リサイクルプラントのカスタマイズが容易である。
【００５０】
又、超音波洗浄機１２６の前段に、更に、破砕片を洗浄する洗浄手段（破砕機１２２）を備えているので、超音波洗浄を行う前に破砕片が前もって洗浄されることとなり、大きな汚れが予め落とされることとなる。このため、超音波洗浄の段階で効率的に破砕片を洗浄することができる。
【００５１】
又、前記超音波洗浄機１２６に、洗浄手段である破砕機１２２に供給される洗浄水と同質の洗浄水が供給されているので、超音波洗浄は破砕機１２２で発生する汚れの影響を受けずに行われることとなる。このため、超音波洗浄中に汚れの再付着の心配が少なく、破砕片を更に清浄な状態とすることができる。
【００５２】
又、更に、脱水機１３０の後段に、脱水された破砕片を分別する分別機であるエアセパレータ１３６と比重選別機１４２とを備えるので、分別される全ての破砕片をまとめて超音波洗浄で清浄な状態としておくことができる。そのため、エアセパレータ１３６や比重選別機１４２における汚れによる分別精度の低下を防ぐことができるので、高い精度で安定して異なる材質の破砕片を分別することができる。
【００５３】
又、移動手段である運搬車１９６が、荷台１０２を自身から取外して外部に配置し、且つ配置された荷台１０２を自身に取付ける脱着装置１９８を備えているので、クレーンなどの脱着装置を別に用意する必要がない。このため、積載式・移動式リサイクルプラント１００の配置と撤収を狭い空間であっても迅速に実施することができる。
【００５４】
又、ペットボトルを処理する過程で排出される荷台１０２Ａ〜１０２Ｃ毎の処理水を、荷台毎に集積する脱着可能な分離槽１１６を備えているので、処理水に含まれる固形物は沈殿物として、又油分は油分離マット１１９Ａ、１１９Ｂに吸着されて、分離槽１１６でまとめて除去することができる。同時に、分離槽１１６が処理水で満杯となった際にあふれない状態とするように空の分離槽と交換できる。このため、処理水の漏れを防止して土壌の汚染や悪臭の発生を最小限とすることができる。同時に処理水の配管が不要なので、積載式・移動式リサイクルプラント１００の構築を迅速に行うことができる。又、分離槽１１６の設置場所を荷台１０２とは別に設ける必要はないので、積載式・移動式リサイクルプラント１００に必要なスペースを最小とすることができる。
【００５５】
又、更に、ペットボトルを処理するための複数の処理装置の制御を１箇所で行う集中制御装置１７８を備えているので、各処理装置の制御を一括して容易に行うことができる。
【００５６】
このようにして、本発明によれば、排出されたプラスチック類（ペットボトルなど）を、排出される場所に近い場所で搬送と貯留に適した形態にすることができ、且つリサイクル工場への搬入前の段階で清浄な状態として、特に飲食に関連した用途に使用できるように処理することが可能となる。
【００５７】
次に、本発明の第２実施形態に係る積載式・移動式リサイクルプラントについて図４を用いて以下に説明する。本実施形態においては、プラスチック類を分別する必要が無い例を説明する。
【００５８】
本実施形態の積載式・移動式リサイクルプラント２００は、３つの荷台２０２Ａ、２０２Ｂ、２０２Ｄ上のプラスチック類の処理をする処理装置で構成されている。荷台２０２Ａには主にホッパ２２０と破砕機２２２とが、荷台２０２Ｂには主に超音波洗浄機２２６と脱水機２３０（第１の脱水機に相当）とが、荷台２０２Ｄには発電機２７６と集中制御装置２７８とが、それぞれ据付けられている。即ち、本実施形態は、第１実施形態で使用された荷台１０２Ｃ、１０２Ｅ、１０２Ｆを除いた荷台を組合せたリサイクルプラントとほぼ同一の構成である。以下に、処理するプラスチック類としてプラスチック製箸を取り上げて動作を説明する。なお、その他の構成については、符号の下２桁を同一にして、重複する説明を省略する。
【００５９】
プラスチック製箸は、荷台２０２Ａ上のホッパ２２０に投入される。プラスチック製箸はホッパ２２０の下端からコンベア２２１上に導かれる。コンベア２２１（搬送路）に載せられたプラスチック製箸は、破砕機２２２に搬送される。その際に、必要に応じてコンベア２２１上で、金属類などの異物の手選別が行われる（自動でもよい）。このため、破砕機２２２の異物（金属類など）による破損を防ぐことができる。そして、プラスチック製箸は荷台２０２Ａ上の破砕機２２２で破砕される。破砕機２２２は湿式の破砕機であり、バルブ２１０Ａから少量の給水を受けて、プラスチック製箸に散水される。これにより、プラスチック製箸が破砕されても、破砕粉が撒き散らされることがなく、且つ破砕機２２２のブレードの摩耗を低減することができる。なお、散水されてブレードによりプラスチック製箸が破砕される際に、プラスチック製箸同士に摩擦が生じて、プラスチック製箸についた汚れが相応に落とされる。即ち、破砕機２２２は予備洗浄する洗浄手段としての機能を有する（相応の洗浄効果）。
【００６０】
破砕片は、コンベア２２４で荷台２０２Ｂ上の超音波洗浄機２２６に搬送される。超音波洗浄機２２６には、バルブ２１０Ｂを介して洗浄水が供給される。即ち、超音波洗浄機２２６には、洗浄手段としての破砕機２２２に供給される洗浄水と同質の汚れのない水が供給される。このときの洗浄水は、超音波洗浄機２２６の槽から減った洗浄水の量だけを追加する形態で供給がなされる。
【００６１】
超音波洗浄された破砕片はコンベア２２８で荷台２０２Ｂ上の脱水機２３０に搬送される。脱水機２３０にも洗浄機能が備えられており、バルブ２１０Ｃによって供給された洗浄水によって破砕片が濯がれる。濯がれた破砕片は脱水・乾燥される。
【００６２】
乾燥された破砕片は、回収ボックス２７４に回収される。
【００６３】
このように、本実施形態においては選別の必要が無いため、３つの荷台２０２Ａ、２０２Ｂ、２０２Ｄで、コンパクトに積載式・移動式リサイクルプラント２００を構成することができる。
【００６４】
同時に、このような、分別の必要のないプラスチック類に対しては、荷台の組合せを減らす（変える）ことで、容易に積載式・移動式リサイクルプラント２００のカスタマイズが可能である。又、例えば、プラスチック製箸の汚れがひどいので、急遽、超音波洗浄機２２６の予備洗浄を十分に行うように積載式・移動式リサイクルプラント２００を変更しようとする場合にも、他の荷台上の装置を変更することなしに新たに洗浄装置を据付けた荷台を荷台２０２Ａと荷台２０２Ｂとの間に配置するといったことで、カスタマイズを迅速に行うことができる。
【００６５】
次に、本発明の第３実施形態に係る積載式・移動式リサイクルプラントについて説明する。
【００６６】
第１実施形態及び第２実施形態においては、荷台の脚部は上下方向に調整可能なものではなかったが、本実施形態においては、荷台３０２の脚部３０６Ａ、３０６Ｂとは別に上下方向に独立して調整可能な複数（本実施形態では４つ）の油圧シリンダ３０５（電動シリンダであってもよい）を荷台３０２の４隅に設けている。このため、荷台３０２を脚部３０６Ａ、３０６Ｂを利用して配置後に、４つの油圧シリンダ３０５を独立して動作させて荷台３０２の床部３０６を上昇させて、その位置を上下方向で調整することが可能となる。このため、荷台３０２を配置する際の外部の地面の凸凹形状を平らにするような作業をすることが無く、場所を選ばす処理装置の水平設置を確保して迅速に、且つ安定して積載式・移動式リサイクルプラントの構築を行うことができる。油圧シリンダ３０５は図示せぬ集中制御装置で制御してもよいし、手動で制御してもよい。なお、油圧シリンダは４つに限定されるものではなく、複数であればよい。
【００６７】
本発明について本実施形態を挙げて説明したが、本発明は上記実施形態に限定されるものではない。即ち本発明の要旨を逸脱しない範囲においての改良並びに設計の変更が可能ことは言うまでもない。
【００６８】
例えば、上記実施形態においては、破砕機１２２、２２２は洗浄機能を有していたが、本発明はこれに限定されるものではない。例えば、これらに洗浄機能が備わっていなくてもよい。本発明では、洗浄を従来よりも早い段階で実施でき、且つその洗浄が超音波洗浄であることから、従来の洗浄機では落とせなかった汚れを落とすことができ、従来よりも清浄な破砕片とすることが可能となる。
【００６９】
又、上記実施形態においては、荷台上に複数の処理装置、例えば、荷台１０２Ｂ上に超音波洗浄機１２６と脱水機１３０とが据付けられていたが、本発明はこれに限定されるものではない。例えば、１つの荷台に１つの処理装置のみが据付けられていてもよい。その際であっても、すでに各処理装置には荷台が固定されているので、積載式・移動式リサイクルプラントの構築は、従来のリサイクルプラントを現場で構築するよりも容易であり、同時に積載式・移動式リサイクルプラントの多様なカスタマイズも容易に実現することができる。
【００７０】
又、上記実施形態においては、超音波洗浄機１２６、２２６に供給される洗浄水が、破砕機１２２、２２２に供給される洗浄水と同質の水であったが、本発明はこれに限定されるものではない。例えば、破砕機での処理水を浄化した後に超音波洗浄機の洗浄水として用いても構わない。逆に、超音波洗浄機で排出される処理水をそのまま脱水機及び破砕機に供給しても構わない。これらの場合には、超音波洗浄は洗浄手段で発生する汚れの影響を受けることなく、且つ超音波洗浄機で排出される処理水を有効利用して、節水することができる。
【００７１】
又、上記実施形態においては、移動手段が脱着装置１９８を備えていたが、本発明はこれに限定されるものではない。例えばクレーンなどの脱着装置が外部の運搬車によって運ばれ、それによって荷台が脱着され配置されても構わない。
【００７２】
又、上記実施形態においては、荷台１０２、２０２、３０２が移動手段から取外されていたが、本発明はこれに限定されない。例えば、積載式・移動式リサイクルプラントの構築スペースが、積載式・移動式リサイクルプラントに対して十分に広ければ、移動手段から取外す必要はない。
【００７３】
又、上記実施形態においては、処理装置から排出される荷台毎の処理水を、荷台毎に集積する脱着可能な分離槽が設けられていたが、本発明はこれに限定されるものではない。例えば、処理装置から排出される荷台毎の処理水を導く配管を設けて、その配管を荷台の外部に配置された分離槽に接続するようにしてもよい。又、その処理水を導く配管から、分離槽を用いずに積載式・移動式リサイクルプラントが構築される場所における排水設備に配管を直接接続しても構わない。分離槽を用いた場合であっても、分離槽で分離された処理水を積載式・移動式リサイクルプラントが構築された場所における排水設備に接続しても構わない。
【００７４】
又、上記実施形態においては、集中制御装置が用いられていたが、本発明はこれに限定されるものではない。例えば、集中制御装置を用いずに、各装置の制御盤を用いて制御しても構わない。なお、発電機についても、積載式・移動式リサイクルプラントが構築される場所における配電盤から直接、各処理装置に電源を供給しても構わない。
【００７５】
又、上記実施形態においては、各処理装置に対する給水は、積載式・移動式リサイクルプラントの配置される場所における給水設備からの供給を受けていたが、本発明はこれに限定されるものではない。例えば、給水車を別途用意して、そこから各処理装置に給水を行っても構わない。その場合には、本発明の積載式・移動式リサイクルプラントの設置場所の自由度を更に拡げることができる。
【符号の説明】
【００７６】
１００、２００…積載式・移動式リサイクルプラント
１０２、１０２Ａ〜１０２Ｆ、２０２Ａ、２０２Ｂ、２０２Ｄ、３０２…荷台
１０４、３０４…鳥居部
１０６、３０６…床部
１０６Ａ、１０６Ｂ、３０６Ａ、３０６Ｂ…脚部
１０８…塀部材（アオリ）
１１０、２１０…給水管
１１０Ａ〜１１０Ｅ、２１０Ａ〜２１０Ｃ…バルブ
１１６、１１６Ａ〜１１６Ｃ、２１６…分離槽
１２０、２２０…ホッパ
１２１、１２４、１２８、１４４、１５０、２２１、２２４、２２８…コンベア（搬送路）
１２２、２２２…破砕機
１３０、１５２、２３０…脱水機
１３２、１３８、１４６、１５４、１６０、１６８…エア搬送路（搬送路）
１３４、１４０、１４８、１５６、１６２、１６６…ブロア
１３６、１５８…エアセパレータ
１４２…比重選別機
１７４Ａ〜１７４Ｄ、２７４…回収ボックス
１７６、２７６…発電機
１７８、２７８…集中制御装置
１９６…運搬車
１９８…脱着装置
３０５…油圧シリンダ
【図１】
2011230371.tif 000003
【図２】
2011230371.tif 000004
【図３】
2011230371.tif 000005
【図４】
2011230371.tif 000006
【図５】
2011230371.tif 000007